(57)【特許請求の範囲】
【請求項１】
表示パネルによって構成されるサブ領域を複数有する表示領域に、複数の走査線と、複数のデータ線と、前記走査線と前記データ線との交差に対応して各々設けられた複数の画素回路とを備えた電気光学装置であって、
前記複数の画素回路の各々は、電気光学素子と、基準電圧と前記データ線を介して供給
されるデータ電圧とに基づいて駆動電流を生成して前記電気光学素子に供給する電流供給
手段と、を備え、
前記複数のサブ領域の輝度が目標値に近づくように、前記複数のサブ領域の各々に対応
する前記基準電圧を個別に生成する電源手段が設けられ、
前記電流供給手段は、
前記電気光学素子に流れる駆動電流を制御する駆動トランジスタと、
前記駆動トランジスタのゲートとドレインとの間にて第１の期間においてオンし、前記
第１の期間後の第２の期間の開始タイミングまでにオフする第１のスイッチング素子と、
一端が前記駆動トランジスタのゲートに接続された容量素子と、
前記第１の期間においてオンして、前記基準電圧を前記容量素子の他端に印加する一方
、前記第２の期間、および、この第２の期間後の第３の期間においてオフする第２のスイ
ッチング素子と、
前記データ線と前記容量素子の他端との間にて、前記第２の期間においてオンする第３
のスイッチング素子と
を備え、
前記電源手段は、
前記サブ領域ごとの前記基準電圧を個別に生成する電圧生成手段と、
前記目標値は同一であって、複数のサブ領域の輝度が相互に近づくように前記基準電圧
を調整する電圧調整手段と、を備えることを特徴とする電気光学装置。
【請求項２】
前記電圧調整手段は、前記複数のサブ領域の画素回路で消費される電流を前記サブ領域ごとに計測し、計測結果に基づいて前記基準電圧を調整することを特徴とする請求項１に記載の電気光学装置。
【請求項３】
請求項１または２に記載の電気光学装置を備えた電子機器。
【発明の詳細な説明】
【技術分野】
【０００１】
本発明は、有機発光ダイオード素子のような電流駆動型素子を駆動する電気光学装置、その駆動方法および電子機器に関する。
【背景技術】
【０００２】
近年、液晶素子に代わる次世代の発光デバイスとして、有機エレクトロルミネッセンス素子や発光ポリマー素子などと呼ばれる有機発光ダイオード（Organic Light Emitting
Diode、以下適宜「ＯＬＥＤ素子」と略称する）素子が注目されている。このＯＬＥＤ素子は、自発光型であるために視野角依存性が少なく、また、バックライトや反射光が不要であるために低消費電力化や薄型化に向いているなど、表示パネルとして優れた特性を有している。
ここで、ＯＬＥＤ素子は、液晶素子のように電圧保持性を有さず、電流が途絶えると、発光状態が維持できなくなる電流型の被駆動素子である。このため、ＯＬＥＤ素子をアクティブ・マトリクス方式で駆動する場合、書込期間（選択期間）において、画素の階調に応じた電圧を駆動トランジスタのゲートに書き込んで、当該電圧をゲート容量などにより保持し、当該ゲート電圧に応じた電流を駆動トランジスタがＯＬＥＤ素子に流し続ける事が一般的となっている。
【０００３】
この構成では、駆動トランジスタのしきい値電圧特性がばらつくことによって、画素ごとに、ＯＬＥＤ素子の明るさが相違して表示品位が低下する、という問題が指摘されている。このため、近年では、書込期間において、当該駆動トランジスタをダイオード接続させるとともに、駆動トランジスタからデータ線に定電流を流し、これによって、当該駆動トランジスタのゲートに、ＯＬＥＤ素子に流すべき電流に応じた電圧を書き込むようにプログラミングして、駆動トランジスタのしきい値電圧特性のばらつきを補償する技術が提案されている（例えば、特許文献１および２参照）。
【特許文献１】米国特許第６２２９５０６号公報（ＦＩＧ．２参照）
【特許文献２】特開２００３−１７７７０９号公報（図３参照）
【発明の開示】
【発明が解決しようとする課題】
【０００４】
ところで、電気光学装置の表示領域が複数のサブ領域に分割されており、サブ領域ごとにＯＬＥＤ素子やトランジスタの特性にばらつきがある場合、各サブ領域を個別の駆動モジュールで駆動する場合、さらには、各領域のＯＬＥＤ素子として異なる種類の素子を用いる場合がある。このような電気光学装置において、従来の技術では、複数のサブ領域間で表示輝度を均一にすることができず、画面内の明るさが相違するといった問題があった。
【０００５】
本発明は、上述した事情に鑑みてなされたもので、その目的とするところは、複数の領域の輝度を均一にすることが可能な電気光学装置、その駆動方法および電子機器を提供することにある。
【課題を解決するための手段】
【０００６】
上記課題を解決するために本発明に係る電気光学装置は、複数のサブ領域を有する表示領域に、複数の走査線と、複数のデータ線と、前記走査線と前記データ線との交差に対応して各々設けられた複数の画素回路とを備えるものであって、前記複数の画素回路の各々は、電気光学素子と、基準電圧と前記データ線を介して供給されるデータ電圧とに基づいて駆動電流を生成して前記電気光学素子に供給する電流供給手段とを備え、前記複数のサブ領域の輝度が目標値に近づくように、前記複数のサブ領域の各々に対応する前記基準電圧を個別に生成する電源手段と、を備える。
【０００７】
この発明によれば、電気光学素子の駆動電流は、基準電圧とデータ電圧に基づいて定まるので、基準電圧を調整することによって、電気光学素子の輝度が調整される。そして、サブ領域ごとに基準電圧を設定するから、複数のサブ領域間の輝度を調整することが可能となる。なお、電気光学素子とは、電気的な作用によって光学特性を制御可能な素子の意味であって、例えば、有機発光ダイオードが含まれる。なお、電流供給手段は、データ電圧と基準電圧との差分電圧に応じた駆動電流を生成することが好ましい。
【０００８】
この電気光学装置において、前記電流供給手段は、前記電気光学素子に流れる駆動電流を制御する駆動トランジスタと、前記駆動トランジスタのゲートとドレインとの間にて第１の期間においてオンし、前記第１の期間後の第２の期間の開始タイミングまでにオフする第１のスイッチング素子と、一端が前記駆動トランジスタのゲートに接続された容量素子と、前記第１の期間においてオンして、前記基準電圧を前記容量素子の他端に印加する一方、前記第２の期間、および、この第２の期間後の第３の期間においてオフする第２のスイッチング素子と、前記データ線と前記容量素子の他端との間にて、前記第２の期間においてオンする第３のスイッチング素子とを備える。
【０００９】
この電気光学装置によれば、第１のスイッチング素子のオンオフによって、容量素子の一端および駆動トランジスタのゲート（ノードＡ）には、当該駆動トランジスタのしきい値に応じた電圧が保持される。容量素子の他端は、電気光学素子に流すべき電流に応じたデータ電圧の印加によって基準電圧から変化し、この電圧変化に応じた分だけ、ノードＡの電圧も変化して保持される。変化後におけるノードＡの電圧に応じた駆動電流が電気光学素子に流れるが、このとき流れる電流は、駆動トランジスタのしきい値特性がキャンセルされている。また、容量素子の保持は、電気光学素子に電流を強制的に流すことによって行われるので、時間を要しない。さらに、電気光学素子に流すべき電流に応じた電圧を容量素子の他端に印加するのであって、駆動トランジスタのゲートに直接印加しないので、当該電圧の書き込みに要する時間を短縮化することができる。
【００１０】
上述した電気光学装置は、前記サブ領域は表示パネルで構成され、前記電源手段は、前記サブ領域ごとの前記基準電圧を個別に生成する電圧生成手段と、前記目標値は同一であって、複数のサブ領域の輝度が相互に近づくように前記基準電圧を調整する電圧調整手段と、を備えることが好ましい。この発明によれば、表示領域を複数の表示パネルで構成する場合に、パネル間の輝度を均一にすることができる。この結果、パネルの境界を目立たなくすることができ、複数の表示パネルをあたかも大型の１枚の表示パネルとして利用することが可能となる。
【００１１】
また、上述した電気光学装置は、前記複数のデータ線を駆動する複数の駆動モジュールを備え、前記複数のサブ領域は、前記複数の駆動モジュールの各々が駆動する前記データ線に対応しており、前記サブ領域ごとの前記基準電圧を個別に生成する電圧生成手段と、前記目標値は同一であって、複数のサブ領域の輝度が相互に近づくように前記基準電圧を調整する電圧調整手段と、を備えることが好ましい。この発明によれば、複数の駆動モジュールを用いて駆動する場合、駆動モジュール間に特性のばらつきがあっても基準電圧を調整することによって、複数のサブ領域の輝度を均一にすることができる。これにより、サブ領域の境界を目立たなくすることができる。なお、複数の表示パネルで１個の表示領域を構成し、各表示パネルを複数の駆動モジュールで駆動する場合には、各駆動モジュールに対応するデータ線の範囲が、各サブ領域に相当することは勿論である。
【００１２】
また、上述した電気光学装置において、前記複数のサブ領域の各々には、発光色の異なる複数種類の電気光学素子が各々設けられており、前記電源手段は、前記サブ領域ごとの前記基準電圧を個別に生成する電圧生成手段と、前記目標値は個別に設定されており、ホワイトバランスが取れるように前記基準電圧を調整する電圧調整手段と、を備えることが好ましい。発光色の異なる電気光学素子では、発光色に応じて異なる材料が選択されるため、発光効率が相違するのが通常である。この発明によれば、サブ領域ごとに発光色の異なる電気光学素子が配置され、サブ領域ごとに基準電圧を個別に供給する。したがって、基準電圧を個別に設定することによって、ホワイトバランスを調整することが可能となる。
【００１３】
また、前記電圧調整手段は、前記複数のサブ領域の画素回路で消費される電流を前記サブ領域ごとに計測し、計測結果に基づいて前記基準電圧を調整することが好ましい。この発明によれば、サブ領域ごとの消費電流に応じて基準電圧が調整されるから、工場で基準電圧を設定するだけでなく、常時、基準電圧を調整して最適な状態を維持することも可能である。
【００１４】
次に、本発明に係る電子機器は、上述した電気光学装置を備え、例えば、複数のパネルを連結した大型ディスプレイ、パーソナルコンピュータ、携帯電話機、および携帯情報端末等が該当する。
【００１５】
次に、本発明に係る電気光学装置の駆動方法は、複数のサブ領域を有する表示領域に、複数の走査線と、複数のデータ線と、前記走査線と前記データ線との交差に対応して各々設けられた複数の画素回路とを備え、前記複数の画素回路の各々は、電気光学素子と、基準電圧と前記データ線を介して供給されるデータ電圧とに基づいて生成した電流を駆動電流として前記電気光学素子に供給する電流供給手段とを有する電気光学装置を前提とし、前記複数のサブ領域の輝度を各々計測する第１ステップと、計測された輝度がサブ領域ごとに定められた目標値に近づくように、前記複数のサブ領域の各々に対応する前記基準電圧を個別に生成して前記複数のサブ領域に供給する第２ステップと、を備える。この発明によれば、各サブ領域の輝度の計測結果に基づいて、各サブ領域に供給する基準電圧を調整するので、実際に計測された輝度を表示すべき輝度に反映させることができる。この結果、サブ領域の輝度を正確に調整することが可能となる。
【００１６】
次に、本発明に係る電気光学装置の駆動方法は、複数のサブ領域を有する表示領域に、複数の走査線と、複数のデータ線と、前記走査線と前記データ線との交差に対応して各々設けられた複数の画素回路とを備え、前記複数の画素回路の各々は、電気光学素子と、基準電圧と前記データ線を介して供給されるデータ電圧とに基づいて生成した電流を駆動電流として前記電気光学素子に供給する電流供給手段とを有する電気光学装置を前提とし、前記複数のサブ領域の画素回路で消費される電流を前記サブ領域ごとに計測する第１ステップと、計測された電流に基づいて、前記複数のサブ領域の輝度が目標値に近づくように、前記複数のサブ領域の各々に対応する前記基準電圧を個別に生成して前記複数のサブ領域に供給する第２ステップと、を備える。この発明によれば、サブ領域ごとの消費電流を計測して基準電圧を設定するので、常時、基準電圧を調整して最適な状態を維持することも可能である。
【００１７】
ここで、上述した前記目標値は、前記複数のサブ領域の輝度が等しくなるように設定することが好ましい。この場合には、サブ領域間の輝度を均一にすることができる。
また、複数のサブ領域の各々には、発光色の異なる複数種類の電気光学素子が各々設けられている場合には、前記目標値は、ホワイトバランスが取れるように設定することが好ましい。
【発明を実施するための最良の形態】
【００１８】
＜第１実施形態＞
図１は、本発明の第１実施形態に係る電気光学装置の構成を示すブロック図であり、図２は、画素回路の回路図である。図１に示されるように電気光学装置１０は、４つの表示パネルＺ１、Ｚ２、Ｚ３、およびＺ４を連結して構成されている。複数の表示パネルＺ１〜Ｚ４の各々には、複数本の走査線１０２が横方向（Ｘ方向）に延設される一方、複数本のデータ線（信号線）１１２が図において縦方向（Ｙ方向）に延設されている。そして、これらの走査線１０２とデータ線１１２との交差の各々に対応するように画素回路（電子回路）２００がそれぞれ設けられている。
ここで説明の便宜上、本実施形態では、各表示パネルＺ１〜Ｚ４の走査線１０２の本数（行数）を「３６０」とし、データ線の本数（列数）を「４８０」として、画素回路２００が、縦３６０行×横４８０列のマトリクス状に配列する構成を想定する。そして、４枚の表示パネルＺ１〜Ｚ４によって、縦７２０行×横９６０列の表示領域Ｚが形成される。換言すれば、表示領域Ｚは複数のサブ領域（表示パネルＺ１〜Ｚ４が相当）に分割されている。ただし、本発明をこの配列に限定する趣旨ではない。
【００１９】
各表示パネルＺ１〜Ｚ４には、電源回路１８から基準電圧ＶＩＮＩ１、ＶＩＮＩ2、ＶＩＮＩ３、およびＶＩＮＩ４、が各々供給されるとともに、高位側電圧ＶＥＬおよび低位側電圧Ｇｎｄが各表示パネルＺ１〜Ｚ４に共通して供給される。基準電圧ＶＩＮＩ１〜ＶＩＮＩ４と高位側電圧ＶＥＬの技術的意義については、後述する。なお、画素回路２００には、後述するＯＬＥＤ素子２３０が含まれ、このＯＬＥＤ素子２３０への電流を画素回路２００毎に制御することによって、所定の画像が階調表示される。
また、図１においては、Ｘ方向に延設されるのは走査線１０２のみであるが、本実施形態では、走査線１０２のほかにも、図２に示されるように、制御線１０４、１０６および１０８がそれぞれ行ごとにＸ方向に延設されている。このため、走査線１０２、制御線１０４、１０６および１０８が１組となって、１行分の画素回路２００に兼用されている。
【００２０】
Ｙドライバ１４は、１水平走査期間ごとに１行ずつ走査線１０２を選択するとともに、選択した走査線１０２に対して、Ｈレベルの走査信号を供給するとともに、この選択に同期した各種制御信号を、制御線１０４、１０６および１０８に、それぞれ供給するものである。すなわち、Ｙドライバ１４は、走査線１０２、制御線１０４、１０６および１０８に対し、行ごとに、走査信号や制御信号をそれぞれ供給するものである。
ここで、説明の便宜上、ｉ行目（ｉは、１≦ｉ≦３６０を満たす整数であり、行を一般化して説明するためのもの）の走査線１０２に供給される走査信号をＧＷＲＴ−ｉと表記する。同様に、ｉ行目の制御線１０４、１０６および１０８に供給される制御信号をＧＳＥＴ−ｉ、ＧＩＮＩ−ｉおよびＧＥＬ−ｉと、それぞれ表記する。
【００２１】
一方、Ｘドライバ１６は、Ｙドライバ１４によって選択された走査線１０２に対応する１行分の画素回路、すなわち、選択された行に位置する１〜４８０列の画素回路２００の各々に、当該画素回路２００のＯＬＥＤ素子に流すべき電流（すなわち、画素の階調）に応じた電圧のデータ信号を、１〜４８０列目のデータ線１１２を介して、それぞれ供給するものである。ここで、データ信号（データ電圧）は、電圧が高いほど、画素が明るくなるように指定し、反対に、電圧が低いほど、画素が暗くなるように指定する。
なお、説明の便宜上、ｊ列目（ｊは、１≦ｊ≦４８０を満たす整数であり、列を一般化して説明するためのもの）のデータ線１１２に供給されるデータ信号をＸ−ｊと表記する。
【００２２】
すべての画素回路２００には、ＯＬＥＤ素子の電源となる高位側電圧ＶＥＬが電源線１１４を介してそれぞれ供給される。また、すべての画素回路２００は、本実施形態において電圧基準の電位Ｇｎｄに電源線１１８を介して共通接地されている。
なお、画素の最低階調である黒色を指定するデータ信号Ｘ−ｊの電圧はＧｎｄよりも高く、画素の最高階調である白色を指定するデータ信号Ｘ−ｊの電圧はＶＥＬよりも低く設定される。換言すれば、データ信号Ｘ−ｊの電圧範囲は、電源電圧の内に収まるように設定されている。
一方、本実施形態において、画素回路２００には、基準電圧ＶＩＮＩが給電線１１６を介してそれぞれ供給される。ここで、基準電圧ＶＩＮＩとは、本実施形態では、データ信号Ｘ−ｊがとりうる電圧範囲の最低値、すなわち、画素の最低階調を指定するデータ信号電圧に略一致する。
制御回路１２は、Ｙドライバ１４およびＸドライバ１６に、それぞれクロック信号（図示省略）などを供給して両ドライバを制御するとともに、Ｘドライバ１６に、階調を画素ごとに規定する画像データを供給する。
【００２３】
本実施形態において、マトリクス状に配列する画素回路２００は、すべて共通の構成である。そこで、画素回路２００の構成を、ｉ行ｊ列に位置するもので代表して説明する。この画素回路２００は、どの表示パネルＺ１〜Ｚ４に属するかによって、供給される基準電圧ＶＩＮＩ１、ＶＩＮＩ2、ＶＩＮＩ３、およびＶＩＮＩ４、が異なるが、ここでは、それらを代表して単に基準電圧ＶＩＮＩと記載する。
図２に示されるように、画素回路２００は、ｎチャネル型の駆動トランジスタ２１０と、第１〜第４のスイッチング素子として機能するｎチャネル型のトランジスタ２１１、２１２、２１３、２１４と、容量素子として機能する容量２２０と、電気光学素子たるＯＬＥＤ素子２３０とを有する。
このうち、トランジスタ２１４の一端（ドレイン）は、電源線１１４に接続される一方、トランジスタ２１４の他端（ソース）は、駆動トランジスタ２１０のドレイン、および、トランジスタ２１１の一端（ドレイン）に、それぞれ接続されている。ここで、トランジスタ２１４のゲートは、ｉ行目の制御線１０８に接続されている。このため、トランジスタ２１４は、制御信号ＧＥＬ−ｉがＨレベルであればオンし、Ｌレベルであればオフすることになる。
【００２４】
駆動トランジスタ２１０のソースは、ＯＬＥＤ素子２３０の陽極に接続される一方、当該ＯＬＥＤ素子２３０の陰極は、電源の低位側電圧Ｇｎｄに接地されている。このため、ＯＬＥＤ素子２３０は、電源の高位側電圧ＶＥＬおよび低位側電圧Ｇｎｄの間の経路に、駆動トランジスタ２１０およびトランジスタ２１４とともに電気的に介挿された構成となっている。
駆動トランジスタ２１０のゲートは、容量２２０の一端およびトランジスタ２１１のソースにそれぞれ接続されている。なお、説明の便宜上、容量２２０の一端（駆動トランジスタ２１０のゲート）をノードＡとする。このノードＡには、図２において破線で示されるように、容量が寄生する。この容量はノードＡとＯＬＥＤ素子２３０の陰極の間に寄生する容量であり、駆動トランジスタのゲート容量、ＯＬＥＤ素子２３０の容量、ノードＡと陰極の間にある配線の寄生容量などに起因する容量を含んでいる。
【００２５】
トランジスタ２１１は、駆動トランジスタ２１０のドレインおよびゲート間に電気的に介挿されるとともに、トランジスタ２１１のゲートは、ｉ行目の制御線１０４に接続されている。このため、トランジスタ２１１は、制御信号ＧＳＥＴ−ｉがＨレベルとなったときにオンして、駆動トランジスタ２１０をダイオードとして機能させる。
一方、トランジスタ２１２の一端（ドレイン）は、給電線１１６に接続される一方、その他端（ソース）は、トランジスタ２１３の一端（ドレイン）および容量２２０の他端にそれぞれ接続されている。このトランジスタ２１２のゲートは、ｉ行目の制御線１０６に接続されている。このため、トランジスタ２１２は、制御信号ＧＩＮＩ−ｉがＨレベルとなったときにオンすることになる。
さらに、トランジスタ２１３の他端（ソース）は、ｊ列目のデータ線１１２に接続され、そのゲートは、ｉ行目の走査線１０２に接続されている。このため、トランジスタ２１３は、走査信号ＧＷＲＴ−ｉがＨレベルとなったときにオンして、ｊ列目のデータ線１１２に供給されるデータ信号Ｘ−ｊ（の電圧）を容量２２０の他端に印加することになる。
ここで、説明の便宜上、容量の他端（トランジスタ２１２のソース、トランジスタ２１３のドレイン）をノードＢとする。
【００２６】
なお、マトリクス型に配列する画素回路２００は、ガラス等の透明基板に、走査線１０２やデータ線１１２とともに形成されている。このため、駆動トランジスタ２１０や、トランジスタ２１１、２１２、２１３、２１４は、ポリシリコンプロセスによるＴＦＴ（薄膜トランジスタ）によって構成される。また、ＯＬＥＤ素子２３０は、基板上において、ＩＴＯ（酸化錫インジウム）などの透明電極膜を陽極（個別電極）とし、アルミニウムやリチウムなどの単体金属膜またはこれらの積層膜を陰極（共通電極）として、発光層を挟持した構成となっている。
【００２７】
次に、電気光学装置１０の動作について説明する。図３は、電気光学装置１０の動作を説明するためのタイミングチャートである。
まず、Ｙドライバ１４は、図３に示されるように、１垂直走査期間（１Ｆ）の開始時から、１行目、２行目、３行目、…、３６０行目の走査線１０２を、順番に１本ずつ１水平走査期間（１Ｈ）ごとに選択して、選択した走査線１０２の走査信号のみをＨレベルとし、他の走査線への走査信号をＬレベルとする。
ここで、ｉ行目の走査線１０２が選択されて、走査信号ＧＷＲＴ−ｉがＨレベルとなる１水平走査期間（１Ｈ）に着目して、当該水平走査期間およびその前後の動作について、図３とともに、図４〜図８を参照して説明する。
【００２８】
図３に示されるように、走査信号ＧＷＲＴ−ｉがＨレベルに変化するタイミングよりも期間Ｔｉだけ先行したタイミングｔ１から、ｉ行ｊ列における画素回路２００の書込動作の事前準備が開始する。一方、走査信号ＧＷＲＴ−ｉがＨレベルから再びＬレベルに変化すると、書き込んだ電圧に基づく発光が開始する。
このため、ｉ行ｊ列の画素回路２００の動作については、大別すると、タイミングｔ１から走査信号ＧＷＲＴ−ｉがＨレベルに変化するまでの第１の期間（１）、走査信号ＧＷＲＴ−ｉがＨレベルとなる第２の期間、および、走査信号ＧＷＲＴ−ｉがＬレベルに変化した後の第３の期間、の３つにわけることができる。
これらの第１〜第３の期間については、その動作内容に着目して、それぞれ初期化期間（１）、書込期間（２）および発光期間（３）と称することにする。このうち、初期化期間（１）については、本実施形態では、さらに３つの期間（１ａ）、（１ｂ）および（１ｃ）とに分けることができる。
以下、これらの期間の動作について順を追って説明することにする。
【００２９】
まず、タイミングｔ１の前において、走査信号ＧＷＲＴ−ｉ、制御信号ＧＳＥＴ−ｉ、ＧＩＮＩ−ｉおよびＧＥＬ−ｉいずれもＬレベルである。そして、タイミングｔ１に至ると、初期化期間（１）のうち、最初の期間（１ａ）となり、Ｙドライバ１４は、制御信号ＧＳＥＴ−ｉ、ＧＩＮＩ−ｉおよびＧＥＬ−ｉをいずれもＨレベルとする。このため、画素回路２００では、図４に示されるように、Ｈレベルの制御信号ＧＳＥＴ−ｉによりトランジスタ２１１がオンするので、駆動トランジスタ２１０がダイオードとして機能する。また、Ｈレベルの制御信号ＧＥＬ−ｉによりトランジスタ２１４もオンする。
したがって、期間（１ａ）において、画素回路２００では、電流が電源線１１４→トランジスタ２１４→駆動トランジスタ２１０→ＯＬＥＤ素子２３０→接地Ｇｎｄという経路にて流れるので、ノードＡは、この電流に応じた電圧、詳細には、当該電流を流す駆動トランジスタ２１０のゲート電圧となる。
一方、制御信号ＧＩＮＩ−ｉは、初期化期間（１）の全域にわたってＨレベルとなって、トランジスタ２１２をオンさせる。このため、ノードＢは、初期化期間（１）にわたって基準電圧ＶＩＮＩに固定されるので、容量２２０からみてノードＢの反対側に位置するノードＡでは、その電圧状態が保持されることになる。したがって、期間（１ａ）においてノードＡは、ＯＬＥＤ素子２３０に流れた電流に応じた電圧に保持されることになる。
【００３０】
なお、この期間（１ａ）では、ＯＬＥＤ素子２３０に電流が流れるので、当該ＯＬＥＤ素子２３０が発光する。ただし、この期間（１ａ）は、表示の単位期間である１垂直走査期間（１Ｆ）と比較して、無視できる程度に短く設定されるので、期間（１ａ）での発光は、後述する発光期間（３）における発光、すなわち、ＯＬＥＤ素子２３０に目的とする電流が流れることによる発光に影響を与えることはない。
【００３１】
次に、初期化期間（１）の期間（１ｂ）開始タイミングに至ると、Ｙドライバ１４は、制御信号ＧＥＬ−ｉをＬレベルに復帰させる一方、制御信号ＧＳＥＴ−ｉ、ＧＩＮＩ−ｉをともにＨレベルに維持する。このため、画素回路２００では、図５に示されるように、トランジスタ２１４がオフするので、ＯＬＥＤ素子２３０の電流経路は遮断される。ただし、トランジスタ２１１のオンが継続するので、駆動トランジスタ２１０が引き続きダイオードとして機能する。このため、ノードＡは、駆動トランジスタ２１０のしきい値電圧Ｖｔｈｎに向かって自己補償的に徐々に移行する。
そして、期間（１ｂ）の終了タイミングでは、ノードＡは、しきい値電圧Ｖｔｈｎにほぼ一致することになる。
【００３２】
続いて、初期化期間（１）の期間（１ｃ）の開始タイミングにおいて、Ｙドライバ１４は、制御信号ＧＳＥＴ−ｉをＬレベルに復帰させる。このため、画素回路２００では、図６に示されるように、駆動トランジスタ２１０のダイオード接続が解除されるので、ノードＡの電圧がＶｔｈｎに確定することになる。
【００３３】
次に、書込期間（２）において、Ｙドライバ１４は、制御信号ＧＩＮＩ−ｉをＬレベルに復帰させる一方、走査信号ＧＷＲＴ−ｉをＨレベルとする。このため、図７に示されるように、トランジスタ２１２がオフし、トランジスタ２１３がオンする。
また、書込期間（２）において、Ｘドライバ１６は、ｉ行ｊ列の画素の階調に応じた電圧のデータ信号Ｘ−ｊをｊ列目のデータ線１１２に供給する。上述したように、画素の最低階調を指定するデータ信号Ｘ−ｊの電圧がＶＩＮＩであり、画素が明るく指定するにつれて、データ信号Ｘ−ｊの電圧が高くなるので、表示すべき階調に応じたデータ信号Ｘ−ｊのデータ電圧をＶdataとすると、Ｖdataは以下の式（ａ）で与えられる。
Ｖdata＝（ＶＩＮＩ＋ΔＶ）……（ａ）
なお、ΔＶは、基準電圧ＶＩＮＩからの電圧変化（上昇）分であって、画素を最低階調の黒色に指定する場合にはゼロであり、明るい階調を指定するにつれて次第に高くなる。したがって、ノードＢは、初期化期間（１）から書込期間（２）にかけて、ΔＶだけ変動する。
【００３４】
一方、書込期間（２）において、画素回路２００では、トランジスタ２１１がオフであるので、ノードＡは、駆動トランジスタ２１０のゲート容量のみによって保持されることになる。このため、ノードＡは、ノードＢにおける電圧変化分ΔＶを容量２２０と駆動トランジスタ２１０のゲート容量との容量比で配分した分だけ、初期化期間（１）の電圧Ｖｔｈｎから上昇することになる。
詳細には、容量２２０のサイズをＣａとし、駆動トランジスタ２１０のゲート容量をＣｂとしたときに、ノードＡは、電圧Ｖｔｈｎから、｛ΔＶ・Ｃａ ／（Ｃａ＋Ｃｂ）｝だけ上昇するので、結果的に、ノードＡの電圧Ｖｇは、次式のように表すことができる。
Ｖｇ＝Ｖｔｈｎ＋ΔＶ・Ｃａ
／（Ｃａ＋Ｃｂ）……（ｂ）
【００３５】
そして、発光期間（３）に至ると、Ｙドライバ１４は、走査信号ＧＷＲＴ−ｉをＬレベルとする一方、制御信号ＧＥＬ−ｉをＨレベルとする。
このため、画素回路２００では、図８に示されるように、トランジスタ２１３がオフするが、容量２２０における電圧保持状態は変化しないので、ノードＡは、電圧Ｖｇに維持される。一方、トランジスタ２１４がオンするので、ＯＬＥＤ素子２３０には、電圧Ｖｇに応じた電流ＩＥＬが、上記電流経路にて流れることになる。これにより、ＯＬＥＤ素子２３０は、当該電流ＩＥＬに応じた明るさで発光し続けることになる。
【００３６】
発光期間（３）において、ＯＬＥＤ素子２３０に流れる電流ＩＥＬは、駆動トランジスタ２１０のソース・ドレイン間の導通状態によって定まり、当該導通状態は、ノードＡの電圧で設定される。ここで、駆動トランジスタ２１０のソースからみたゲートの電圧は、ノードＡの電圧Ｖｇそのものであるので、電流ＩＥＬは、次のように示される。
ＩＥＬ＝（β／２）（Ｖｇ−Ｖｔｈｎ）２  ……（ｃ）
なお、この式においてβは、駆動トランジスタ２１０の利得係数である。
【００３７】
ここで、式（ｃ）に式（ａ）および式（ｂ）を代入して整理すると、式（ｄ）が得られる。
ＩＥＬ＝（β／２）｛ｋ・（Ｖdata−ＶＩＮＩ）｝２  ……（ｄ）
但し、ｋは定数であってｋ＝Ｃａ ／（Ｃａ＋Ｃｂ）となる。この式（ｄ）に示されるように、ＯＬＥＤ素子２３０に流れる電流ＩＥＬは、駆動トランジスタ２１０のしきい値Ｖｔｈｎに依存することなく、データ電圧Ｖdataと基準電圧ＶＩＮＩとの差分ΔＶ（＝Ｖdata−ＶＩＮＩ）のみによって定まることになる。
【００３８】
発光期間（３）が予め指定された期間だけ継続すると、Ｙドライバ１４は、制御信号ＧＥＬ−ｉをＬレベルにする。これにより、トランジスタ２１４がオフするので、電流経路が遮断される結果、ＯＬＥＤ素子２３０は消灯することになる。
ここで、Ｙドライバ１４は、１行目から７２０行目までに対応する制御信号ＧＥＬ−１〜ＧＥＬ−７２０のＨレベル期間が同一となるように制御する。換言すれば、すべてのＯＬＥＤ素子２３０に対して、１垂直走査期間において発光期間（３）の占める割合が一定になるように制御する。このため、発光期間（３）が長くすると、画面全体が明るくなる一方、短くすると、画面全体が暗くすることができる。
なお、発光期間（３）の最長は、１垂直走査期間（１Ｆ）のうち、初期化期間（１）および書込期間（２）を除いた期間の全域である。このため、ｉ行目でいえば、制御信号ＧＥＬ−ｉは、走査信号ＧＷＲＴ−ｉがＨレベルからＬレベルに変化するタイミングから、１垂直走査期間（１Ｆ）経過して、再びｉ行目の走査線１０２が選択されるタイミングより期間Ｔｉだけ先行したタイミングｔ１までの期間でＨレベルをとることができる。
【００３９】
ここでは、ｉ行ｊ列の画素回路２００の動作について説明したが、ｉ行の他の画素についてもすべて初期化期間（１）、書込期間（２）および発光期間（３）の動作が同時並列的に実行される。
また、ｉ行目について着目して説明したが、１行目から７２０行目までについては、１水平走査期間（１Ｈ）ごとに順番に走査線１０２が選択されて、当該選択期間において書込期間（２）の動作が実行される。そして、書込期間（２）の前には初期化期間（１）が、書込期間（２）の後には発光期間（３）が、それぞれ実行される。例えば、ｉ行目に続く（ｉ＋１）行目については、図３に示されるように、走査信号ＧＷＲＴ−（ｉ＋１）がＨレベルになるタイミングより期間Ｔｉだけ先行したタイミングｔ２から、初期化期間（１）となり、この後、走査信号ＧＷＲＴ−（ｉ＋１）がＨレベルになる期間で書込期間（２）となる。（ｉ＋１）行目の書込期間において、ｊ列目のデータ線１１２には、（ｉ＋１）行ｊ列の画素の階調に応じた電圧のデータ信号Ｘ−ｊが供給されて、その電圧変化分がノードＡに書き込まれ、この後、発光期間（３）となる。
したがって、初期化期間（１）が隣接する２行以上にわたって並行して実行される場合もあり得る。同様に、発光期間（３）も隣接する２行以上にわたって並行して実行される。
【００４０】
この実施形態によれば、初期化期間（１）のうち期間（１ａ）において、駆動トランジスタ２１０をダイオード接続し、ＯＬＥＤ素子２３０に電流を強制的に流すことによって、ノードＡを、当該電流に応じた電圧とさせる一方、ノードＢを基準電圧ＶＩＮＩに固定させる。このため、ノードＡは、なんらかの電圧に直ちに達して保持されることになる。この後、ダイオード接続を維持した状態で、トランジスタ２１４をオフさせることにより、期間（１ｂ）の終了タイミングまでに、ノードＡの電圧をＶｔｈｎにシフトさせる。そして、期間（１ｃ）において、ノードＡの電圧をＶｔｈｎに確定させる。この初期化期間（１）は、行が選択される書込期間（２）とは無関係な期間であって、時間的に手前の期間で実行されるので、１垂直走査期間（１Ｆ）において、十分に長い期間を確保することができる。
次に、書込期間（２）では、データ信号Ｘ−ｊをノードＢに印加して容量２２０の他端を電圧変化させ、この電圧変化による電荷の再分配によって、駆動トランジスタ２１０のゲートに、ＯＬＥＤ素子２３０に流すべき電流に応じた電圧を書き込んでいる。このため、初期化期間（１）の確保とあいまって、駆動トランジスタ２１０のゲートに、ＯＬＥＤ素子２３０に流すべき電流に応じた電圧を直接書き込む方式と比較して、電圧の書き込みに要する時間を短縮化することが可能となる。
さらに、発光期間（３）において、ＯＬＥＤ素子２３０に流れる電流は、駆動トランジスタ２１０のしきい値電圧Ｖｔｈｎに依存しない。このため、画素回路２００ごとに、駆動トランジスタ２１０のしきい値電圧Ｖｔｈｎがバラついても、ＯＬＥＤ素子２３０に流す電流を均一に揃えることができる。
したがって、第１実施形態に係る電気光学装置によれば、高解像度化に伴って画素数が増加しても、データ信号の書き込み時間が短くて済むとともに、ＯＬＥＤ素子２３０に流れる電流の均一性を確保することが可能となる。
【００４１】
また、ＯＬＥＤ素子２３０に流れる電流ＩＥＬは、上述した式（ｄ）に示されるようにデータ電圧Ｖdataと基準電圧ＶＩＮＩとの差分ΔＶ（＝Ｖdata−ＶＩＮＩ）のみによって定まる。従って、基準電圧ＶＩＮＩの値を調整すれば、ＯＬＥＤ素子２３０の発光輝度を調整することができる。本実施形態のように複数の表示パネルＺ１〜Ｚ４によって電気光学装置１０を構成する場合、表示パネルＺ１〜Ｚ４は個別に製造されるため、ＯＬＥＤ素子２３０の特性は複数の表示パネルＺ１〜Ｚ４の間で同一とはいえず、ばらつくのが通常である。
本実施形態の電源回路１８は、電圧源１８Ａと調整部１８Ｂを備える。電圧源１８Ａは基準電圧ＶＩＮＩ１、ＶＩＮＩ２、ＶＩＮＩ３、およびＶＩＮＩ４を発生し、調整部１８Ｂは電圧源１８Ａを制御して表示パネルＺ１〜Ｚ４の輝度が均一になるように基準電圧ＶＩＮＩ１、ＶＩＮＩ２、ＶＩＮＩ３、およびＶＩＮＩ４を調整する。具体的には、調整部１８Ｂの処理には以下の態様がある。
第１の態様は、各表示パネルＺ１〜Ｚ４を同一の階調を示す階調データで駆動し、電源回路１８において、複数の表示パネルＺ１〜Ｚ４で消費される電流を各々計測し、消費電流が等しくなるように基準電圧ＶＩＮＩ１、ＶＩＮＩ２、ＶＩＮＩ３、およびＶＩＮＩ４を調整する。この調整方法によれば、例えば、電気光学装置１０に電源が投入された直後に上述した調整処理を実行することによって、ＯＬＥＤ素子２３０等の特性に経時変化があったとしても各表示パネルＺ１〜Ｚ４の輝度を均一にすることができる。また、各表示パネルＺ１〜Ｚ４に表示に寄与しないダミーの画素回路を設け、ダミーの画素回路に流れる電流を計測し、消費電流が等しくなるように基準電圧ＶＩＮＩ１、ＶＩＮＩ２、ＶＩＮＩ３、およびＶＩＮＩ４を調整してもよい。この場合は、常時、消費電流を計測して、輝度の補正を施すことが可能となる。
【００４２】
第２の態様は、電気光学装置１０の出荷時に基準電圧ＶＩＮＩ１〜ＶＩＮＩ４を設定するものである。この態様においては、第１に、各表示パネルＺ１〜Ｚ４を同一の階調を示す階調データで駆動する。第２に、各表示パネルＺ１〜Ｚ４の輝度を測定装置（例えば、ＣＣＤカメラ）を用いて測定する。第３に、測定された輝度が相互に近づくように基準電圧ＶＩＮＩ１、ＶＩＮＩ２、ＶＩＮＩ３、およびＶＩＮＩ４を設定する。なお、出荷時に設定した基準電圧ＶＩＮＩ１〜ＶＩＮＩ４をユーザーがその後、変更できるようにボリュームを設けてもよい。
このように本実施形態においては、表示領域Ｚを構成する複数のサブ領域としての表示パネルＺ１〜Ｚ４について、基準電圧ＶＩＮＩ１〜ＶＩＮＩ４を個別に設定したので、画面全体の輝度を一様にすることができる。そして、複数のパネルをあたかも１枚のパネルして用いることが可能となる。
【００４３】
＜第２実施形態＞
上述した第１実施形態に係る電気光学装置１０は、複数の表示パネルＺ１〜Ｚ４を組み合わせて１個の表示領域Ｚを構成した。これに対して、第２実施形態に係る電気光学装置１０は、表示領域Ｚが１枚の表示パネルで構成されている。
図９は、第２実施形態に係る電気光学装置１０の構成を示すブロック図である。同図に示すようにＸドライバ１６は複数の駆動モジュールＭ１、Ｍ２、およびＭ３を備える。そして、各駆動モジュールＭ１〜Ｍ３は表示領域を分割したサブ領域Ｓ１、Ｓ２、Ｓ３を各々駆動する。ここで、基準電圧ＶＩＮＩは、サブ領域Ｓ１、Ｓ２、およびＳ３の各々で独立しており、基準電圧ＶＩＮＩ１、ＶＩＮＩ２、およびＶＩＮＩ３として与えられる。
【００４４】
駆動モジュールＭ１〜Ｍ３を構成するトランジスタの特性は、必ずしも同一ではなく一定のばらつきがある。このトランジスタの特性のばらつきに起因して、同一の階調データを駆動モジュールＭ１〜Ｍ３に供給しても、駆動モジュールＭ１〜Ｍ３の間でデータ信号Ｘの電圧値がばらつく。この結果、サブ領域Ｓ１、Ｓ２、およびＳ３の間で、輝度が不均一になることがある。
【００４５】
第２実施形態の電気光学装置１０は、第１実施形態の電気光学装置１０と同様に、電源回路１８においてサブ領域Ｓ１〜Ｓ３の輝度が均一になるように基準電圧ＶＩＮＩ１、ＶＩＮＩ２、およびＶＩＮＩ３が生成される。具体的には、以下の態様がある。
第１の態様は、サブ領域Ｓ１〜Ｓ３を同一の階調を示す階調データで駆動し、電源回路１８において、複数のサブ領域Ｓ１〜Ｓ３で消費される電流を各々計測し、消費電流が等しくなるように基準電圧ＶＩＮＩ１、ＶＩＮＩ２、およびＶＩＮＩ３を調整する。この調整方法によれば、例えば、電気光学装置１０に電源が投入された直後に上述した調整処理を実行することによって、駆動モジュールＭ１〜Ｍのトランジスタ特性に経時変化があったとしても各サブ領域Ｓ１〜Ｓ３の輝度を均一にすることができる。また、各サブ領域Ｓ１〜Ｓ３に表示に寄与しないダミーの画素回路を設け、ダミーの画素回路に流れる電流を計測し、消費電流が等しくなるように基準電圧ＶＩＮＩ１、ＶＩＮＩ２、およびＶＩＮＩ３を調整してもよい。この場合は、常時、消費電流を計測して、輝度の補正を施すことが可能となる。
【００４６】
第２の態様は、電気光学装置１０の出荷時に基準電圧ＶＩＮＩ１〜ＶＩＮＩ３を設定するものである。この態様においては、第１に、各サブ領域Ｓ１〜Ｓ３を同一の階調を示す階調データで駆動する。第２に、各サブ領域Ｓ１〜Ｓ３の輝度を測定装置（例えば、ＣＣＤカメラ）を用いて測定する。第３に、測定された輝度が相互に近づくように基準電圧ＶＩＮＩ１、ＶＩＮＩ２、およびＶＩＮＩ３を設定する。なお、出荷時に設定した基準電圧ＶＩＮＩ１〜ＶＩＮＩ３をユーザーがその後、変更できるようにボリュームを設けてもよい。
このように本実施形態においては、表示領域Ｚを構成する複数のサブ領域Ｓ１〜Ｓ３について、基準電圧ＶＩＮＩ１〜ＶＩＮＩ３を個別に設定したので、駆動モジュールＭ１〜Ｍ３の特性が相違しても画面全体の輝度を均一にすることができる。この結果、サブ領域の境界を目立たなくできる。
【００４７】
＜第３実施形態＞
上述した第１および第２実施形態に係る電気光学装置１０は、単色の画素について階調表示をする構成になっていたが、第３実施形態に係る電気光学装置１０は、カラー表示に対応するものである。
図１０は第３実施形態に係る電気光学装置１０の構成を示すブロック図である。この電気光学装置１０の表示領域Ｚは１枚の表示パネルによって構成される。また、表示領域Ｚは、Ｒ（赤）、Ｇ（緑）、Ｂ（青）に対応するサブ領域Ｚｒ、Ｚｇ、およびＺｂによって構成される。サブ領域ＺｒにはＲ用の画素回路２００Ｒが配置され、サブ領域ＺｇにはＧ用の画素回路２００Ｇ、サブ領域ＺｂにはＢ用の画素回路２００Ｂが各々配置される。
図１１に画素回路２００Ｒ、２００Ｇ、および２００Ｂの配置を示す。これらの構成において、ＯＬＥＤ素子２３０Ｒ、２３０Ｇ、２３０Ｂは、それぞれ赤、緑、青にて発光するように発光層が選択される。即ち、各色に対応して異なる種類の発光材料が用いられる。このため、ＯＬＥＤ素子２３０Ｒ、２３０Ｇ、２３０Ｂの発光効率が相違することが多い。この場合には、電源電圧ＶＥＬおよび基準電圧ＶＩＮＩを色ごとに異ならせる必要がある。
そこで、本実施形態においては、電源回路１８から、サブ領域Ｚｒに基準電圧ＶＩＮＩ（Ｒ）と電源電圧ＶＥＬ（Ｒ）の組、サブ領域Ｚｇに基準電圧ＶＩＮＩ（Ｇ）と電源電圧ＶＥＬ（Ｇ）の組、サブ領域Ｚｂに基準電圧ＶＩＮＩ（Ｂ）と電源電圧ＶＥＬ（Ｂ）の組を各々供給する。
即ち、表示領域Ｚを分割した複数のサブ領域Ｚｒ、Ｚｇ、およびＺｂごとに独立した基準電圧ＶＩＮＩ（Ｒ）、ＶＩＮＩ（Ｇ）、およびＶＥＬ（Ｇ）が設定される。これらは、ＲＧＢ各色の階調を定めるものであるから、ホワイトバランスが取れるように、工場で調整される。出荷時に設定した基準電圧ＶＩＮＩ（Ｒ）、ＶＩＮＩ（Ｇ）、およびＶＥＬ（Ｇ）をユーザーがその後、変更できるようにボリュームを設けてもよい。
【００４８】
＜画素回路の構成例＞
（１）構成例１  上述した各実施形態に係る画素回路２００、２００Ｒ、２００Ｇ、および２００Ｂにおいて、トランジスタ２１１は、オンすることにより駆動トランジスタ２１０をダイオード接続する機能を有するのに対し、トランジスタ２１４は、オフすることによって駆動トランジスタ２１０およびＯＬＥＤ素子２３０の電流経路を遮断する機能を有するものであり、両者の機能は全く異なる。このため、第１実施形態では、図２に示されるように、トランジスタ２１１については制御線１０４によって、トランジスタ２１４については制御線１０８によって、それぞれ独立にオンオフ制御する構成とした。
しかしながら、図１２に示されるように、例えばトランジスタ２１４の導電型をｐチャネル型に変更することによって、両トランジスタ２１１、２１４のチャネル型を互いに異ならせるとともに、共通の制御線１０８によってオンオフ制御する構成としても良い。このような構成を採用すると、図２の構成と比較して、制御線１０４が不要となるので、制御線が１行当たり１本削減される結果、歩留まり向上や、ボトムエミッション型の場合に開口率を高めた明るい表示が可能となる。トランジスタ２１１、２１２はともに同一のチャネル型とすることにより、トランジスタ２１１、２１２のしきい値電圧が同等であるため、異なるチャネル型で構成した場合と比して同一の制御信号ＧＩＮＩ−ｉにより動作を確実に制御することができる。例えば、同一の制御信号ＧＩＮＩ−ｉに対して、一方のトランジスタがオンして、他方のトランジスタがオフするなどの誤動作を防止することができる。また、同一のチャネル型とすることにより、トランジスタに不純物を注入する際のマージンを設ける必要がなく、トランジスタ２１１とトランジスタ２１２とをより近接して配置することが可能である。したがって、画素領域におけるトランジスタ占有領域を最小限とできると共に、トランジスタ２１１とトランジスタ２１２とのトランジスタ特性をばらつきなく製造することが可能である。さらに、駆動トランジスタ２１０がトランジスタ２１１とトランジスタ２１２と同一のチャネル型であれば、同様の効果が得られる。また、同一のチャネル型のみにて構成することにより、画素回路に供給する信号に対する電源の電圧範囲を最低限とすることができるため、信頼性の高い電子回路を実現することができる。
【００４９】
（２）構成例２  上述した各実施形態に係る画素回路２００、２００Ｒ、２００Ｇ、および２００Ｂを、図１３に示される画素回路２００に置換してもよい。図２に示される画素回路２００は、トランジスタ２１１、２１２のオンオフを、それぞれ別々の制御信号ＧＳＥＴ−ｉ、ＧＩＮＩ−ｉによって独立に制御する構成であったが、図１３に示される画素回路は、制御線１０６に供給される制御信号ＧＩＮＩ−ｉによって共通に制御する構成としたものである。
【００５０】
図１４は、第２実施形態に係る電気光学装置の動作を説明するためのタイミングチャートである。この図に示されるように、第２実施形態では、制御信号ＧＩＮＩ−ｉにしたがってトランジスタ２１１、２１２のオンオフが共通に制御されるので、初期化期間（１）には、期間（１ｃ）が含まれない。ただし、図１３に示される画素回路２００では、期間（１ｂ）の終了時に、トランジスタ２１１、２１２が同時にオフするので、ノードＡの電圧は、初期化期間（１ｂ）の終了と同時に確定することになる。
なお、他の動作については、第１実施形態と同様であるので、その説明を省略する。この応用例に係る電気光学装置によれば、図１２に示される画素回路と同様に、制御線１０４が不要となり、制御線が１行当たり１本削減されるので、歩留まりや開口率を向上させることができる。
【００５１】
（３）構成例３  上述した各実施形態に係る画素回路２００、２００Ｒ、２００Ｇ、および２００Ｂを、図１５に示される画素回路２００に置換してもよい。図１５に示される画素回路２００は、図１３に示した画素回路からトランジスタ２１４を取り除いた構成としたものである。したがって、図１５に示される画素回路２００において、制御線１０８は不要となる。
図１６は、構成例３を用いた電気光学装置の動作を説明するためのタイミングチャートである。
この図に示されるように、構成例３では、ｉ行目でいえば、走査信号ＧＷＲＴ−ｉがＨレベルとなる書込期間（２）よりも手前において、期間Ｔｉだけ制御信号ＧＩＮＩ−ｉがＨレベルとなる初期化期間（１）が設けられている。
この初期化期間（１）では、トランジスタ２１１、２１２が同時にオンするので、電流が（ダイオード接続された）駆動トランジスタ２１０とＯＬＥＤ素子２３０とに流れることになる。そして、初期化期間（１）の終了タイミングにおいて、制御信号ＧＩＮＩ−ｉがＬレベルとなり、トランジスタ２１１、２１２が同時にオフするので、第１および第２実施形態のように、駆動トランジスタ２１０のダイオード接続を継続することによる自己補償的なノードＡの電圧シフトが発生しない。
このため、初期化期間（１）の終了時においてノードＡには、ＯＬＥＤ素子２３０に流れた電流に応じた電圧であって、駆動トランジスタ２１０のしきい値電圧Ｖｔｈｎを反映した電圧となり、第１および第２実施形態と比較して高くなる。そこで、構成例３では、ノードＡの電圧が高くなることに対応して、給電線１１６を介して供給される基準電圧ＶＩＮＩも高く設定される。
詳細には、基準電圧ＶＩＮＩは、初期化期間（１）から書込期間（２）にかけてノードＢが電圧変化する際の基準電圧であり、この電圧変化に応じた電圧が書込期間（２）においてノードＡに書き込まれる点は、第１、第２実施形態と同様である。ただし、第３実施形態では、初期化期間（１）におけるノードＡの電圧ポイントが高いので、第１、第２実施形態と同様に初期化電圧ＶＩＮＩを低く設定しまうと、書込期間（２）においてノードＡは、高い電圧ポイントから上昇するだけとなり、ノードＢに低い電圧を書き込んで、低階調（暗階調）に相当する電流をＯＬＥＤ素子２３０に流すことができなくなってしまう。そこで、構成例３では、基準電圧ＶＩＮＩを第１実施形態や構成例１および２よりも高く設定し、初期化期間（１）から書込期間（２）にかけてノードＢが電圧上昇するのみならず、下降する場合もありえる構成としているのである。
そして、この構成において、低階調（暗階調）に相当する電流をＯＬＥＤ素子２３０に流す場合には、初期化期間（１）から書込期間（２）にかけてノードＢが電圧下降（放電）し、その下降分に応じた電圧がノードＡに書き込まれるので、ノードＢの電圧を低くして、低階調（暗階調）に相当する電流をＯＬＥＤ素子２３０に流すことが可能となるのである。
なお、構成例３における基準電圧ＶＩＮＩは、画素の最低階調（黒色）と最高階調（白色）との間における中間階調（灰色）を指定するデータ信号の電圧に相当することになる。
【００５２】
この構成例３を用いた電気光学装置によれば、図１２や図１３に示される画素回路と比較して、制御線１０４も不要となるので、制御線が１行当たり１本（図２の画素回路と比較すると２本）削減されるとともに、画素回路１個当たりのトランジスタ数も１個削減されるので、歩留まりや開口率を、より高めることが可能となる。
ただし、構成例３では、トランジスタ２１４が存在しないので、発光期間（３）を調整することによる画面全体の輝度調整ができない。また、書込期間（２）においても、ノードＡの電圧に応じた電流がＯＬＥＤ素子２３０に流れる。
【００５３】
（４）構成例４  上述した各実施形態に係る画素回路２００、２００Ｒ、２００Ｇ、および２００Ｂを、図１７に示される画素回路２００に置換してもよい。図１７に示される画素回路２００は、図１５に示した画素回路において、電源線１１４を１行ごとにＸ方向に延設するとともに、その電圧を、時間的に変化させた構成としたものである。すなわち、第４実施形態における電源線１１４は、走査線１０２、制御線１０６とともに１組となって、１行分の画素回路２００に兼用されている。
このような電源線１１４は、例えばＹドライバ１４によって駆動される。また、第４実施形態において、給電線１１６に印加される基準電圧ＶＩＮＩは、第１実施形態と同様に、画素の最低階調を指定するデータ信号と一致する電圧である。
【００５４】
図１８は、構成例４に係る電気光学装置の動作を説明するためのタイミングチャートである。この図に示されるように、構成例４では、構成例３と同様に、ｉ行目でいえば、走査信号ＧＷＲＴ−ｉがＨレベルとなる書込期間（２）よりも手前の初期化期間（１）において、制御信号ＧＩＮＩ−ｉが期間ＴｉだけＨレベルとなる。
ただし、構成例４では、初期化期間において、Ｙドライバ１４は、ｉ行目の電源線１１４の電圧ＶＥＬ−ｉを基準電圧Ｖｉｎｉとする。この基準電圧Ｖｉｎｉは、駆動トランジスタ２１０のしきい値電圧ＶｔｈｎおよびＯＬＥＤ素子２３０のしきい値電圧との和よりも若干高い程度の電圧である。詳細には、トランジスタ２１１のオンによってダイオード接続された駆動トランジスタ２１０のドレインに、この基準電圧Ｖｉｎｉが印加された場合に、当該駆動トランジスタ２１０およびＯＬＥＤ素子２３０に電流がごくわずかに流れる程度の電圧である。
【００５５】
一方、構成例４においても、初期化期間（１）では、ノードＢは、トランジスタ２１２のオンにより基準電圧ＶＩＮＩに固定されるので、ノードＡには、当該電流に応じた電圧が保持されることになる。
ここで、初期化期間（１）においてＯＬＥＤ素子２３０に流れる電流は、第３実施形態とは異なり、ごくわずかであるので、ノードＡに保持される電圧を、ほぼ駆動トランジスタのしきい値Ｖｔｈｎとさせることができる。
【００５６】
次に、書込期間（２）に至ると、Ｙドライバ１４は、電圧ＶＥＬ−ｉをＧｎｄに落とすともに、制御信号ＧＷＲＴ−ｉをＨレベルとする。これにより、トランジスタ２１３がオンするので、ノードＢは、ΔＶだけ電圧変化し、この変化分を容量比で配分した分だけ、ノードＡの電圧が上昇するので、第１実施形態等と同様にして、ノードＡにＯＬＥＤ素子２３０に電流を流すためゲート電圧を書き込むことができる。
続いて、発光期間（３）に至ると、Ｙドライバ１４は、電圧ＶＥＬ−ｉを電源電圧ＶＥＬにする一方、制御信号ＧＷＲＴ−ｉをＬレベルとする。これにより、第１実施形態等と同様に、ＯＬＥＤ素子２３０には、ノードＡの電圧に応じた電流が流れて、当該電流に応じた明るさで発光し続けることになる。
そして、発光期間（３）が終了すると、Ｙドライバ１４は、電圧ＶＥＬ−ｉをＧｎｄに落とす。これにより、ＯＬＥＤ素子２３０は消灯して、発光期間（３）が調整されることになる。
【００５７】
この構成例４に係る電気光学装置によれば、構成例３と同様に、図１２や図１３に示される画素回路と比較して、制御線１０８が不要となるので、制御線が１行当たり１本（図２の画素回路と比較すると２本）削減されるとともに、画素回路１個当たりのトランジスタ数も１個削減されるので、歩留まりや開口率を、より高めることが可能となる。さらに、構成例４によれば、構成例３とは異なり、発光期間（３）を調整して、表示画面全体の明るさを変化させることができる。
なお、構成例４では、電源線１１４を走査線１０２の１行ごとにＸ方向に延設するとしたが、隣接する複数行ごとに１本延設して、複数行の画素回路２００にわたって兼用する構成としても良い。このような構成とすると、配線数が削減することができるので、特に、開口率の点で有利となる。
【００５８】
（５）構成例５  上述した各実施形態に係る画素回路２００、２００Ｒ、２００Ｇ、および２００Ｂを、図１９に示される画素回路２００に置換してもよい。図１９に示されるように、構成例５における画素回路２００は、図１４に示した画素回路において、トランジスタ２１２の一端（ドレイン）の接続先を、給電線１１６から、行ごとの電源線１１４へと変更したものである。
なお、この構成例５に係る電気光学装置の動作は、初期化期間（１）において、ノードＢが電源線１１４の基準電圧Ｖｉｎｉで固定される点以外、構成例４と同様であるので、その説明については省略する。
この構成例５によれば、給電線１１６が不要となるので、構成例４と比較して、歩留まりや開口率の点で有利となる。
【００５９】
（６）各実施形態では、駆動トランジスタ２１０をｎチャネル型としたが、ｐチャネル型としても良い。また、トランジスタ２１１、２１２、２１３、２１４のチャネル型についても同様である。ただし、図１２に示される構成とする場合には、トランジスタ２１１、２１４のチャネル型については、上述したように一方をｐチャネル型、他方をｎチャネル型とする必要がある。また、図１３、図１５、図１７または図１９に示される構成とする場合には、トランジスタ２１１、２１２ついては、共通の制御線１０６によってオンまたはオフを同時制御するため、ｎまたはｐの一方のチャネル型に統一する必要がある。
また、これら各トランジスタを、ｐチャネル型およびｎチャネル型を相補型に組み合わせたトランスミッションゲートで構成して、電圧降下をほぼ無視できる程度に抑えても良い。くわえて、トランジスタ２１４のソース側にＯＬＥＤ素子２３０を接続するのではなく、トランジスタ２１４のドレイン側にＯＬＥＤ素子２３０を接続しても良い。
【００６０】
また、ＯＬＥＤ素子２３０は、低分子、高分子もしくはデンドリマー等の発光有機材料を用いている。ＯＬＥＤ素子２３０は、電流駆動型素子の一例であり、これに代えて、無機ＥＬ素子や、フィールド・エミッション（ＦＥ）素子、表面伝導型エミッション（ＳＥ）素子、弾道電子放出（ＢＳ）素子、ＬＥＤなどの他の自発光素子、さらには、電気泳動素子、エレクトロ・クロミック素子などを用いても良い。また、光書きこみ型のプリンタや電子複写機等に用いる書き込みヘッド等の電気光学装置にも上記各実施形態と同様に本発明が適用され得る。
【００６１】
＜５．電子機器＞
次に、上述した第１乃至第３実施形態及び応用例に係る電気光学装置１０を適用した電子機器について説明する。図２０に、電気光学装置１０を適用したモバイル型のパーソナルコンピュータの構成を示す。パーソナルコンピュータ２０００は、表示ユニットとしての電気光学装置１０と本体部２０１０を備える。本体部２０１０には、電源スイッチ２００１及びキーボード２００２が設けられている。この電気光学装置１０はＯＬＥＤ素子２３０を用いるので、視野角が広く見易い画面を表示できる。
図２１に、電気光学装置１０を適用した携帯電話機の構成を示す。携帯電話機３０００、複数の操作ボタン３００１及びスクロールボタン３００２、並びに表示ユニットとしての電気光学装置１０を備える。スクロールボタン３００２を操作することによって、電気光学装置１０に表示される画面がスクロールされる。
図２２に、電気光学装置１０を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１０を備える。電源スイッチ４００２を操作すると、住所録やスケジュール帳といった各種の情報が電気光学装置１０に表示される。
なお、電気光学装置１０が適用される電子機器としては、図２０〜図２２に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１０が適用可能である。また、直接画像や文字などを表示する電子機器の表示部に限られず、被感光体に光を照射することにより間接的に画像もしくは文字を形成するために用いられる印刷機器の光源として適用してもよい。
【図面の簡単な説明】
【００６２】
【図１】本発明の第１実施形態に係る電気光学装置の構成を示すブロック図である。
【図２】同電気光学装置の画素回路を示す図である。
【図３】同電気光学装置の動作を示すタイミングチャートである。
【図４】同画素回路の動作説明図である。
【図５】同画素回路の動作説明図である。
【図６】同画素回路の動作説明図である。
【図７】同画素回路の動作説明図である。
【図８】同画素回路の動作説明図である。
【図９】本発明の第２実施形態に係る電気光学装置の構成を示すブロック図である。
【図１０】本発明の第３実施形態に係る電気光学装置の構成を示すブロック図である。
【図１１】同装置の画素回路を示す図である。
【図１２】画素回路の構成例１を示す回路図である。
【図１３】画素回路の構成例２を示す回路図である。
【図１４】同構成例２の動作を示すタイミングチャートである。
【図１５】画素回路の構成例３を示す回路図である。
【図１６】同構成例３の動作を示すタイミングチャートである。
【図１７】画素回路の構成例４を示す回路図である。
【図１８】同構成例４の動作を示すタイミングチャートである。
【図１９】画素回路の構成例５を示す回路図である。
【図２０】同電気光学装置を用いたパーソナルコンピュータを示す図である。
【図２１】同電気光学装置を用いた携帯電話を示す図である。
【図２２】同電気光学装置を用いた携帯情報端末を示す図である。
【符号の説明】
【００６３】
１０…電気光学装置、１２…制御回路、１４…Ｙドライバ、１６…Ｘドライバ、１８…電源回路、１８Ａ…電圧源、１８Ｂ…調整部、１０２…走査線、１０４、１０６、１０８…制御線、１１２…データ線、１１４、１１８…電源線、１１６…給電線、２００…画素回路、２１０…駆動トランジスタ、２１１、２１２、２１３、２１４…トランジスタ（それぞれ第１、第２、第３、第４のスイッチング素子）、２２０…容量（容量素子）、２３０…ＯＬＥＤ素子。
【図１】
0004797336.tif 000002
【図２】
0004797336.tif 000003
【図３】
0004797336.tif 000004
【図４】
0004797336.tif 000005
【図５】
0004797336.tif 000006
【図６】
0004797336.tif 000007
【図７】
0004797336.tif 000008
【図８】
0004797336.tif 000009
【図９】
0004797336.tif 000010
【図１０】
0004797336.tif 000011
【図１１】
0004797336.tif 000012
【図１２】
0004797336.tif 000013
【図１３】
0004797336.tif 000014
【図１４】
0004797336.tif 000015
【図１５】
0004797336.tif 000016
【図１６】
0004797336.tif 000017
【図１７】
0004797336.tif 000018
【図１８】
0004797336.tif 000019
【図１９】
0004797336.tif 000020
【図２０】
0004797336.tif 000021
【図２１】
0004797336.tif 000022
【図２２】
0004797336.tif 000023